(57)【要約】【課題】  流通・消費過程で簡便に確実に製品の真正性を認証し、製品情報を入手できる製品認証システム等を提供する。【解決手段】  サーバ１０１は、製品の真正性情報、製品サービス情報等を２次元バーコード化したコード情報を暗号化し、生成した暗号化コード情報１３等を製品認証ラベル１０に印刷し、セキュリティとして光学可変機能を有する媒体を付与し製品２０に製品認証ラベル１０を貼付する。また、ユーザ登録した携帯型端末装置１０３−１や携帯型端末装置１０３−２に固有ＩＤ鍵コード１５を配信する。携帯型端末装置１０３は、暗号化コード情報１３等を読み取り、固有ＩＤ鍵コード１５を用いて、暗号化コード情報１３を復号化し、復元した製品の真正性情報、製品サービス情報等により、製品の真正性確認や製品情報入手を行う。【選択図】  図７
2006229852.tif 000002
【特許請求の範囲】
【請求項１】
ネットワークを介して接続された、販売店のバーコードリーダの機能を有する携帯型端末装置と、製造メーカのサーバと、を備える製品認証システムにおいて、
前記サーバは、
製品出荷時、製品の関連情報を２次元バーコード化した２次元バーコード情報を暗号化した暗号化コード情報を生成する暗号化手段と、
前記暗号化コード情報を、１次元バーコード情報及び／又は印字情報と共に、出荷する前記製品に貼り付ける認証ラベルに印刷する印刷手段と、を備え、
前記携帯型端末装置は、
製品入荷時、前記製品に貼り付けられている認証ラベルの前記暗号化コード情報と、１次元バーコード情報及び／又は前記印字情報を読み取る読取手段と、
鍵コードを用いて、読み取った暗号化コード情報を復号化し前記２次元バーコード情報に解読する解読手段と、
前記２次元バーコード情報を前記製品の関連情報に復元する復元手段と、
前記製品の関連情報と、前記１次元バーコード情報及び／又は前記印字情報を照合して、製品の真正性を確認する確認手段と、
を具備することを特徴とする製品認証システム。
【請求項２】
ネットワークを介して接続された、消費者のバーコードリーダの機能を有する携帯型端末装置と、製造メーカのサーバと、を備える製品認証システムにおいて、
前記サーバは、
前記携帯型端末装置からのユーザ登録を行うと、前記携帯型端末装置に、暗号化コード情報を復号化するための製品固有の鍵を２次元バーコード化した鍵コードを前記携帯型端末装置に送信する送信手段と、
製品出荷時、製品の関連情報を２次元バーコード化した２次元バーコード情報を暗号化した暗号化コード情報を生成する暗号化手段と、
前記暗号化コード情報を、出荷する前記製品に貼り付ける認証ラベルに印刷する印刷手段と、を備え、
前記携帯型端末装置は、
前記サーバにアクセスし、ユーザ登録を行い、前記サーバから前記暗号化コードを復号化するための製品固有の鍵を２次元バーコード化した鍵コードを受信する受信手段と、
前記製品に貼り付けられている認証ラベルの前記暗号化コード情報を読み取る読取手段と、
前記鍵コードを用いて、読み取った暗号化コード情報を復号化し前記２次元バーコード情報に解読する解読手段と、
前記２次元バーコード情報を前記製品の関連情報に復元する復元手段と、
前記製品の関連情報を用いて、前記サーバにアクセスし、製品の真正性の確認、及び／又は製品情報取得を行う確認手段と、
を具備することを特徴とする製品認証システム。
【請求項３】
前記製品の関連情報は、製品の真正性情報、及び／又は製品サービス情報からなる製品の各種情報であることを特徴とする請求項１又は請求項２記載の製品認証システム。
【請求項４】
前記製品の真正性情報は、製品固有の番号、及び／又は１次元バーコード情報であることを特徴とする請求項３記載の製品認証システム。
【請求項５】
前記製品サービス情報は、前記サーバの所定のサイトへアクセスできるＵＲＬ情報であることを特徴とする請求項３記載の製品認証システム。
【請求項６】
前記印刷手段は、
更に、前記認証ラベルに、ホログラム層又は液晶層を付与することを特徴とする請求項１又は請求項２記載の製品認証システム。
【請求項７】
前記印刷手段は、
更に、前記認証ラベルにストライプ転写を行うことを特徴とする請求項１又は請求項２記載の製品認証システム。
【請求項８】
前記バーコードリーダの機能を有する携帯型端末装置は、バーコードスキャナ、カメラ付き携帯電話、ＰＤＡ端末のいずれかであることを特徴とする請求項１又は請求項２記載の製品認証システム。
【請求項９】
前記サーバは、
前記暗号化コード情報を復号化するための製品固有の鍵を２次元バーコード化した鍵コードを前記販売店の携帯型端末装置に送信する送信手段、
を、更に具備することを特徴とする請求項１記載の製品認証システム。
【請求項１０】
前記印字情報は、前記製品固有の番号であることを特徴とする請求項１記載の製品認証システム。
【請求項１１】
前記サーバは、
前記携帯型端末装置から受け取った前記製品の関連情報に応じて、製品の真正性の確認情報、及び／又は製品情報を前記携帯型端末装置に送信する手段を、更に具備することを特徴とする請求項２記載の製品認証システム。
【請求項１２】
ネットワークを介して、販売店のバーコードリーダの機能を有する携帯型端末装置と接続された製造メーカのサーバにおいて、
製品出荷時、製品の関連情報を２次元バーコード化した２次元バーコード情報を暗号化した暗号化コード情報を生成する暗号化手段と、
前記暗号化コード情報を、１次元バーコード情報及び／又は印字情報と共に、出荷する前記製品に貼り付ける認証ラベルに印刷する印刷手段と、
を具備することを特徴とするサーバ。
【請求項１３】
ネットワークを介して、消費者のバーコードリーダの機能を有する携帯型端末装置と接続された製造メーカのサーバにおいて、
前記携帯型端末装置からのユーザ登録を行うと、前記携帯型端末装置に、暗号化コード情報を復号化するための製品固有の鍵を２次元バーコード化した鍵コードを前記携帯型端末装置に送信する送信手段と、
製品出荷時、製品の関連情報を２次元バーコード化した２次元バーコード情報を暗号化した暗号化コード情報を生成する暗号化手段と、
前記暗号化コード情報を出荷する製品に貼り付ける認証ラベルに印刷する印刷手段と、
を具備することを特徴とするサーバ。
【請求項１４】
前記印刷手段は、
更に、前記認証ラベルに、ホログラム層又は液晶層を付与することを特徴とする請求項１２又は請求項１３記載のサーバ。
【請求項１５】
前記印刷手段は、
更に、前記認証ラベルにストライプ転写を行うことを特徴とする請求項１２又は請求項１３記載のサーバ。
【請求項１６】
前記暗号化コード情報を復号化するための製品固有の鍵を２次元バーコード化した鍵コードを前記販売店の携帯型端末装置に送信する送信手段、
を、更に具備することを特徴とする請求項１２記載のサーバ。
【請求項１７】
前記携帯型端末装置から受け取った前記製品の関連情報に応じて、製品の真正性の確認情報、及び／又は製品情報を前記携帯型端末装置に送信する手段を、更に具備することを特徴とする請求項１３記載のサーバ。
【請求項１８】
コンピュータを請求項１２から請求項１７いずれかに記載のサーバとして機能させるプログラム。
【請求項１９】
コンピュータを請求項１２から請求項１７いずれかに記載のサーバとして機能させるプログラムを記録した記録媒体。
【発明の詳細な説明】
【技術分野】
【０００１】
本発明は、ネットワークを介した製品認証システムに係り、特に、２次元バーコードを付与した製品認証ラベルを用いた製品認証処理に関する。
【背景技術】
【０００２】
従来、機械部品、ソフトウェア製品、ブランド品、食品、医薬品等の製品に対して、製品ラベルに固有の番号、１次元バーコード、２次元バーコード等を含む情報を記録し、製品のＩＤ認証に用いることが実施され、また、記録された情報内容について改竄・悪用から保護することが実施されてきた（例えば、特許文献１）。
【０００３】
一方、製品の真正性が問われる分野においては、製品自体や包材の一部に、ホログラムや色彩可変材料等の光学可変機能を持った媒体をラベル・転写等の形で貼付し、真贋判別に利用することが実施されていた（例えば、特許文献２）。
【０００４】
【特許文献１】特開２００２−１９３４０５号公報
【特許文献２】特開２００３−３３０３５１号公報
【発明の開示】
【発明が解決しようとする課題】
【０００５】
しかしながら、実際に製品認証が行われる場面において、製品ラベルに記録された情報の保護と、製品の真正性保護とは、別個の枠組みで取り扱われており、媒体自体の真正性保護と記録された情報の保護が同時に実現され、流通・消費過程で簡便に利用できる仕組みではなかった。
【０００６】
本発明は、以上の点に鑑みてなされたものであり、流通・消費過程で簡便に確実に製品の真正性を認証し、製品情報を入手できる製品認証システム等を提供することを目的とする。
【課題を解決するための手段】
【０００７】
前述した目的を達成するために第１の発明は、ネットワークを介して接続された、販売店のバーコードリーダの機能を有する携帯型端末装置と、製造メーカのサーバと、を備える製品認証システムにおいて、前記サーバは、製品出荷時、製品の関連情報を２次元バーコード化した２次元バーコード情報を暗号化した暗号化コード情報を生成する暗号化手段と、前記暗号化コード情報を、１次元バーコード情報及び／又は印字情報と共に、出荷する前記製品に貼り付ける認証ラベルに印刷する印刷手段と、を備え、前記携帯型端末装置は、製品入荷時、前記製品に貼り付けられている認証ラベルの前記暗号化コード情報と、１次元バーコード情報及び／又は前記印字情報を読み取る読取手段と、鍵コードを用いて、読み取った暗号化コード情報を復号化し前記２次元バーコード情報に解読する解読手段と、前記２次元バーコード情報を前記製品の関連情報に復元する復元手段と、前記製品の関連情報と、前記１次元バーコード情報及び／又は前記印字情報を照合して、製品の真正性を確認する確認手段と、を具備することを特徴とする製品認証システムである。
【０００８】
また、前記印刷手段は、更に、前記認証ラベルにストライプ転写を行うことが望ましい。
また、前記印刷手段は、更に、前記認証ラベルに、ホログラム層又は液晶層を付与することが望ましい。
【０００９】
第１の発明による製品認証システムは、サーバは、製品出荷時、製品の関連情報を２次元バーコード化した２次元バーコード情報を暗号化した暗号化コード情報を生成し、暗号化コード情報を、１次元バーコード情報及び／又は印字情報と共に、販売店に出荷する製品に貼り付ける認証ラベルに印刷する。販売店の携帯型端末装置は、製品入荷時、製品に貼り付けられている認証ラベルの暗号化コード情報と、１次元バーコード情報及び／又は前記印字情報を読み取り、鍵コードを用いて、読み取った暗号化コード情報を復号化し２次元バーコード情報に解読し、２次元バーコード情報を製品の関連情報に復元し、製品の関連情報と、１次元バーコード情報及び／又は印字情報を照合して、製品の真正性を確認する。
【００１０】
「製品の関連情報」は、製品の真正性情報と製品サービス情報等からなる製品に関わる各種情報である。
「２次元バーコード情報」は、製品の関連情報を２次元バーコード化した情報である。
「製品の真正性情報」は、製品固有の番号、及び／又は１次元バーコード情報である。
「製品サービス情報」は、サーバの所定のサイトへアクセスできるＵＲＬ情報である。
「印字情報」は、製品固有の番号、例えば製造番号である。
「１次元バーコード情報」は、例えば物流管理用コードである。
「暗号化」の方式には、暗号鍵と復号化鍵が同じである共有鍵方式（秘密鍵方式）と、暗号化鍵と復号化鍵が異なる公開鍵方式がある。
「製品固有の鍵」は、復号化する鍵コード（２次元バーコード）である。
「携帯型端末装置」は、携帯電話やＰＤＡ（Ｐｅｒｓｏｎａｌ Ｄｉｇｉｔａｌ Ａｓｓｉｓｔａｎｃｅ）等であり、本発明で用いるバーコードリーダ機能を有する携帯型端末装置は、例えば、カメラ付き携帯電話、コードスキャナ等である。
【００１１】
また、第２の発明は、ネットワークを介して接続された、消費者のバーコードリーダの機能を有する携帯型端末装置と、製造メーカのサーバと、を備える製品認証システムにおいて前記サーバは、前記携帯型端末装置からのユーザ登録を行うと、前記携帯型端末装置に、暗号化コード情報を復号化するための製品固有の鍵を２次元バーコード化した鍵コードを前記携帯型端末装置に送信する送信手段と、製品出荷時、製品の関連情報を２次元バーコード化した２次元バーコード情報を暗号化した暗号化コード情報を生成する暗号化手段と、前記暗号化コード情報を、出荷する前記製品に貼り付ける認証ラベルに印刷する印刷手段と、を備え、前記携帯型端末装置は、前記サーバにアクセスし、ユーザ登録を行い、前記サーバから前記暗号化コードを復号化するための製品固有の鍵を２次元バーコード化した鍵コードを受信する受信手段と、前記製品に貼り付けられている認証ラベルの前記暗号化コード情報を読み取る読取手段と、前記鍵コードを用いて、読み取った暗号化コード情報を復号化し前記２次元バーコード情報に解読する解読手段と、前記２次元バーコード情報を前記製品の関連情報に復元する復元手段と、前記製品の関連情報を用いて、前記サーバにアクセスし、製品の真正性の確認、及び／又は製品情報取得を行う確認手段と、を具備することを特徴とする製品認証システムである。
【００１２】
第２の発明では、サーバは、消費者の携帯型端末装置からのユーザ登録を行うと、携帯型端末装置に、暗号化コード情報を復号化するための製品固有の鍵を２次元バーコード化した鍵コードを携帯型端末装置に送信し、製品出荷時、製品の関連情報を２次元バーコード化した２次元バーコード情報を暗号化した暗号化コード情報を生成し、暗号化コード情報を、出荷する製品に貼り付ける認証ラベルに印刷する。消費者の携帯型端末装置は、サーバにアクセスし、ユーザ登録を行い、サーバから暗号化コードを復号化するための製品固有の鍵を２次元バーコード化した鍵コードを受信し、製品に貼り付けられている認証ラベルの暗号化コード情報を読み取り、鍵コードを用いて、読み取った暗号化コード情報を復号化し２次元バーコード情報に解読し、２次元バーコード情報を前記製品の関連情報に復元し、製品の関連情報を用いて、サーバにアクセスし、製品の真正性の確認、及び／又は製品情報取得を行う。
【００１３】
また、第３の発明は、ネットワークを介して、販売店のバーコードリーダの機能を有する携帯型端末装置と接続された製造メーカのサーバにおいて、製品出荷時、製品の関連情報を２次元バーコード化した２次元バーコード情報を暗号化した暗号化コード情報を生成する暗号化手段と、前記暗号化コード情報を、１次元バーコード情報及び／又は印字情報と共に、出荷する前記製品に貼り付ける認証ラベルに印刷する印刷手段と、を具備することを特徴とするサーバである。
第３の発明は、第１の発明の製品認証システムで用いられるサーバに関する発明である。
【００１４】
また、第４の発明は、ネットワークを介して、消費者のバーコードリーダの機能を有する携帯型端末装置と接続された製造メーカのサーバにおいて、前記携帯型端末装置からのユーザ登録を行うと、前記携帯型端末装置に、暗号化コード情報を復号化するための製品固有の鍵を２次元バーコード化した鍵コードを前記携帯型端末装置に送信する送信手段と、製品出荷時、製品の関連情報を２次元バーコード化した２次元バーコード情報を暗号化した暗号化コード情報を生成する暗号化手段と、前記暗号化コード情報を出荷する製品に貼り付ける認証ラベルに印刷する印刷手段と、を具備することを特徴とするサーバである。
第４の発明は、第２の発明の製品認証システムで用いられるサーバに関する発明である。
【００１５】
第５の発明は、コンピュータを第３の発明又は第４の発明のサーバとして機能させるプログラムである。
第６の発明は、コンピュータを第３の発明又は第４の発明のサーバとして機能させるプログラムを記録した記録媒体である。
【００１６】
上述のプログラムをＣＤ−ＲＯＭ等の記録媒体に保持させて流通させてもよいし、このプログラムを通信回線を介して送受することもできる。
【発明の効果】
【００１７】
本発明は、以上の点に鑑みてなされたものであり、流通・消費過程で簡便に確実に製品の真正性を認証し、製品情報を入手できる製品認証システム等を提供することができる。
【発明を実施するための最良の形態】
【００１８】
以下に、添付図面を参照しながら、本発明に係る製品認証システム等の好適な実施形態について詳細に説明する。尚、以下の説明および添付図面において、略同一の機能構成を有する構成要素については、同一の符号を付することにより重複説明を省略することにする。
【００１９】
図１は、本実施の形態に係る製品認証システム１００の概略構成を示す図である。図１は、製品認証システム１００の１例であり、図１に示すように、製品認証システム１００は、製造メーカ１０２が有するサーバ１０１、消費者１０４の携帯型端末装置１０３−１、販売店１０６の携帯型端末装置１０３−２、ネットワーク１０９等からなる。製品認証システム１００は、例えばインターネットなどのネットワーク１０９を介して、サーバ１０１と、携帯型端末装置１０３−１と、携帯型端末装置１０３−２とが接続されて構成される。
【００２０】
製造メーカ１０２は、機械部品、ソフトウェア製品、ブランド品、食品、医薬品等の製品を製造、出荷する企業であり、サーバ１０１を有する。サーバ１０１は、サーバとしてのサーバコンピュータ等であり、顧客データベース３０１、製品情報データベース３０２、プリンタ１０５等を有する。
【００２１】
サーバ１０１は、製品の関連情報である製品に関わる各種情報を２次元バーコード化したコード情報を暗号化した暗号化コード（２次元バーコード）、１次元バーコード、印字情報（例えば製品固有番号）等を製品認証ラベル１０に印刷し、更に、真贋判別・偽造防止（セキュリティ）として、ホログラム又は液晶等の光学可変機能を有する媒体をラベル・転写等のいずれかの形で貼付する。また、ユーザ登録した消費者１０４の携帯型端末装置１０３−１や販売店１０６の携帯型端末装置１０３−２に復号化する鍵コードを配信する。顧客データベース３０１には、顧客情報が保存されている。製品情報データベース３０２には、製品２０に関わる各種情報が保存されている。
【００２２】
消費者１０４は、製品２０の消費者であり、携帯型端末装置１０３−１を有する。携帯型端末装置１０３−１は、例えば、カメラ付き携帯電話、ＰＤＡ（Ｐｅｒｓｏｎａｌ
Ｄｉｇｉｔａｌ Ａｓｓｉｓｔａｎｃｅ）等のバーコードリーダの機能を有する携帯型端末装置であり、カメラを用いて、製品認証ラベル１０の暗号化コード（２次元バーコード）を読み取り、製品２０の真正性の認証、製品詳細情報の入手を行う。
【００２３】
販売店１０６は、製品２０の販売店であり、携帯型端末装置１０３−２を有する。携帯型端末装置１０３−２は、例えば、コードスキャナのバーコードリーダの機能を有する携帯型端末装置であり、製品入荷時に、スキャナを用いて、製品認証ラベル１０の暗号化コード（２次元バーコード）、物流管理用バーコードである１次元バーコード情報、印字情報である製品固有番号等を読み取り、製品２０の真正性の認証を行う。
【００２４】
次に、サーバ１０１のハードウェア構成を説明する。図２は、サーバ１０１のハードウェア構成図である。
【００２５】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、プリンタポート２０６、表示部２０７（ディスプレイ）等が、バス２０９を介して接続される。
【００２６】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２７】
記憶装置２０２には、各構成部分を駆動制御する制御プログラム３２１、アプリケーションプログラム３２２等が格納されている。
【００２８】
これらの各プログラムコードは、制御部２０１により必要に応じて読み出されてＲＡＭに移され、ＣＰＵに読み出されて各種の手段として実行される。
【００２９】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００３０】
通信制御部２０４は、通信制御装置、通信ポート等であり、ネットワーク１０９を介して、サーバ１０１と、携帯型端末装置１０３−１、１０３−２間の通信制御を行う。
【００３１】
入力部２０５は、キーボード、マウス等であり、表示部２０７（ディスプレイ）に表示された操作案内、各種処理、操作を行う。
プリンタポート２０６、プリンタ１０５からの接続ケーブル２１０（ＵＳＢケーブル等）を接続するためのポートである。
プリンタ１０５は、感熱印字、感熱破壊、感熱発色、リトライ印字、レーザ破壊、レーザ発色のいずれかの方法で印画する装置であり、また、セキュリティとしてホログラム又は液晶等の光学可変機能を有する媒体をラベル・転写等のいずれかの形で貼付する。プリンタ１０５は、例えば、サーマルプリンタ（感熱記録装置）である。
【００３２】
次に、記憶装置２０２における製品認証システム関連ファイルのファイル配置について説明する。図３は、記憶装置２０２における製品認証関連システムファイルのファイル配置を示す。
【００３３】
図３に示すように、記憶装置２０２内には、顧客データベース３０１、製品情報データベース３０２、及び制御プログラム３２１、アプリケーションプログラム３２２等が格納されている。
【００３４】
顧客データベース３０１は、複数の顧客情報３１１からなる。顧客情報３１１には、ユーザ登録時に受け取った消費者１０４（ユーザ）毎のユーザ情報（氏名、住所、電話番号、メールアドレス等）、ユーザＩＤ等を含む。製品情報データベース３０２には、複数の製品情報３１２からなる。製品情報３１２は、製品認証ラベル１０に記録する製品に関わる各種情報を製品毎に保存し、製品固有番号、製品サービス情報、製品詳細情報、鍵コード等を含む。
製品固有番号は、製品固有のＩＤであり、例えば製造番号である。製品サービス情報は、製品のホームページ（ＨＰ）であるサーバ１０１の所定サイトへのＵＲＬ情報である。鍵コードは、製品に関わる各種情報を暗号化／復号化する際の鍵コードである。製品詳細情報３５は、提供する製品の詳細情報である。尚、製品情報３１２は、この構成に限られるわけではない。
【００３５】
制御プログラム３２１は、サーバ１０１であるコンピュータの各構成部分を駆動制御するプログラムである。
アプリケーションプログラム３２２は、製品認証プログラム、暗号化プログラム等の実行可能プログラムであり、製品認証プログラムは、ユーザ登録手段１１１、鍵コード配信手段１１２、暗号化コード作成手段１１３、製品認証ラベル印刷手段１１４等の処理に該当するプログラムである。暗号化プログラムは、鍵コードを用いて暗号化を行うプログラムである。
【００３６】
次に、携帯型端末装置１０３−１、１０３−２のハードウェア構成を説明する。図４は、携帯型端末装置１０３−１、１０３−２のハードウェア構成図である。
図４に示すように、消費者１０４の携帯型端末装置１０３−１は、例えば、カメラ付き携帯電話であり、制御部４０１、記憶装置４０２、カメラ４０３、送受信部４０４、入力部４０５（キーボード）、表示部４０６（ディスプレイ）、送受話部４０７、アンテナ４１０等が接続される。
販売店１０６の携帯型端末装置１０３−２は、例えば、コードスキャナであり、制御部４０１、記憶装置４０２、スキャナ４０８、送受信部４０４、入力部４０５（キーボード）、表示部４０６（ディスプレイ）、アンテナ４１０等が接続される。
【００３７】
制御部４０１は、ＣＰＵ、ＲＯＭ、ＲＡＭ等で構成され、記憶装置４０２に格納されたプログラムに従って、各装置を駆動制御する。
【００３８】
記憶装置４０２には、各構成部分を駆動制御する制御プログラム、アプリケーションプログラムとして暗号化コード情報を復号化するためのプログラム、固有ＩＤ鍵コード１５等が格納されている。
【００３９】
これらの各プログラムコードは、制御部４０１により必要に応じて読み出されてＲＡＭに移され、ＣＰＵに読み出されて各種の手段として実行される。
【００４０】
カメラ４０３、スキャナ４０８は、バーコードリーダ機能を有し、製品認証ラベル１０の１次元バーコード情報１２、暗号化コード情報１３、製品固有番号１４等を読み取る。
【００４１】
次に、製品２０に貼付される製品認証ラベル１０について説明する。図５は、製品認証ラベル１０を示す図である。図６は、暗号化コード情報１３について示す図である。
【００４２】
図５に示すように、製品認証ラベル１０は、セキュリティ１１、１次元バーコード情報１２、暗号化コード情報１３、製造固有番号１４等からなる。
セキュリティ１１は、ホログラム又は液晶等の光学可変機能を有する媒体、ストライプ転写のいずれかであり、真贋判別・偽造防止として、ホログラム又は液晶等の光学可変機能を有する媒体をラベル・転写等のいずれかの形で貼付する。１次元バーコード情報１２は、例えば、物流管理用コードである。暗号化コード情報１３は、製品の真正性情報、製品サービス情報等の製品２０に関わる各種の情報を２次元バーコード化し暗号化した情報である。図６に示すように、２次元バーコード情報であるコード情報１６は、暗号化コード情報１３と固有ＩＤ鍵コード１５に分割し、固有ＩＤ鍵コード１５を有しているユーザの携帯型端末装置１０３だけが暗号化コード情報１３を解読可能となる。製造固有番号１４は、製品毎の固有ＩＤであり、例えば製造番号である。
【００４３】
次に、製品認証システム１００全体の処理の流れと処理手段について説明する。図７は、製品認証システム１００全体の処理の流れと処理手段を示す。
【００４４】
図７に示すように、製造メーカ１０２のサーバ１０１は、ユーザ登録手段１１１、鍵コード配信手段１１２、暗号化コード作成手段１１３、製品認証ラベル印刷手段１１４等を有する。
ユーザ登録手段１１１は、消費者１０４の携帯型端末装置１０３−１からのユーザ情報３０を顧客データベース３０１に登録、保持する。鍵コード配信手段１１２は、ユーザ登録した消費者１０４や、製品出荷する販売店１０６の携帯型端末装置１０３に暗号化コード情報を解読する固有ＩＤ鍵コード１５（２次元バーコード）を送信する。暗号化コード作成手段１１３は、製品情報データベース３０１を用いて、製品に関わる各種情報を２次元バーコード化し、暗号化する。製品認証ラベル印刷手段１１４は、生成した暗号化コード（２次元バーコード）、１次元バーコード情報１２、製品固有番号１４等の印刷用データをプリンタ１０５に送り、製品認証ラベル１０に印刷する。製品２０は、製品認証ラベル１０を貼付され、販売店１０６等に出荷される。
【００４５】
消費者１０４の携帯型端末装置１０３−１（カメラ付き携帯電話）は、ユーザ情報入力手段１２０、鍵コード受信手段１２１、バーコード読取手段１２２、復号化手段１２３、製品認証手段１２４等を有する。
ユーザ情報入力手段１２０は、サーバ１０１に対してアクセスし、入力したユーザ情報３０を送信し、ユーザ登録を行う。鍵コード受信手段１２１は、メール受信機能に相当し、サーバ１０１から復号化する固有ＩＤ鍵コード１５をメール受信し、保持する。バーコード読取手段１２２は、カメラ４０３を用いて、出荷された製品２０の製品認証ラベル暗号化コード情報１３を読み取る。復号化手段１２３は、復号化プログラムであり、固有ＩＤ鍵コード１５を用いて、暗号化コード情報１３を復号化する。製品認証手段１２４は、復元した製品サービス情報３１（ＵＲＬ情報）により、サーバ１０１の製品情報提供サイト１１５にアクセスし、オンラインの製品の真正性確認や、製品詳細情報３２の閲覧を行う。
【００４６】
販売店１０６の携帯型端末装置１０３−２は、鍵コード受信手段１２１、バーコード読取手段１２２、復号化手段１２３、製品認証手段１２４等を有する。
鍵コード受信手段１２１は、サーバ１０１から復号化する固有ＩＤ鍵コード１５をメール受信し、保持する。バーコード読取手段１２２は、スキャナ４０８を用いて、出荷された製品２０の製品認証ラベル１０の暗号化コード情報１３、１次元バーコード情報１２等を読み取る。復号化手段１２３は、固有ＩＤ鍵コード１５を用いて、暗号化コード情報１３を復号化する。製品認証手段１２４は、復元した製品の真正性情報により、１次元バーコード情報１２や製品固有番号１４等と照合し、オフラインの製品の真正性確認を行う。
【００４７】
次に、サーバ１０１の暗号化コード情報作成及び製品認証ラベル印刷の処理手順について詳しく説明する。図８は、サーバ１０１の暗号化コード情報作成及び製品認証ラベル印刷の処理手順を示すフローチャートである。
【００４８】
図８に示すように、製造メーカ１０２が有するサーバ１０１の制御部２０１は、製品出荷時、暗号化プログラムを用いて、製品認証ラベル１０の暗号化コード情報１３に対する鍵コードを生成し、製品情報データベース３０２に保持する（ステップ８０１）。
暗号化の方式は、暗号鍵と復号化鍵が同じである共有鍵方式（秘密鍵方式）、暗号化鍵と復号化鍵が異なる公開鍵方式のどちらを使用してもよい。
共有鍵方式で使用されるアルゴリズムには、例えば、ＤＥＳ（Ｄａｔａ Ｅｎｃｒｙｐｔｉｏｎ
Ｓｔａｎｄａｒｄ）、トリプルＤＥＳ、ＲＣ２，ＲＣ４、ＩＤＥＡ、Ｓｋｉｐｊａｃｋ等が挙げられる。
公開鍵方式で使用されるアルゴリズムには、例えば、ＲＳＡ（Ｒｉｖｅｓｔ−Ｓｈａｍｉｒ−Ａｄｌｅｍａｎ）／ＡＥＳ（Ａｄｖａｎｃｅｄ
ｅｎｃｒｙｐｔｉｏｎ ｓｔａｎｄａｒｄ）等が挙げられる。
【００４９】
制御部２０１は、配信する２次元バーコード化した鍵コードである固有ＩＤ鍵コード１５を生成する（ステップ８０２）。配信する鍵コードは、共有鍵方式（秘密鍵方式）の場合は、共通鍵であり、公開鍵方式で使用する場合は復号化鍵である。
制御部２０１は、製品出荷する販売店１０６の携帯型端末装置１０３−２に、固有ＩＤ鍵コード１５をメール送信する（ステップ８０３）。
【００５０】
制御部２０１は、製品情報データベース３０２を用いて、製品２０の真正性情報、製品サービス情報３３等の製品に関わる各種情報を２次元バーコード化したコード情報１６を生成する（ステップ８０４）。製品２０の真正性情報は、例えば、製品固有番号１４、１次元バーコード情報である物流管理用コード等のいずれかであり、製品サービス情報３１は、製品のＨＰアクセス情報等である。
【００５１】
制御部２０１は、暗号化プログラムを用いて、鍵コードに基づいて、生成したコード情報１６を暗号化し、暗号化コード情報１３を生成する（ステップ８０５）。鍵コードは、共有鍵方式（秘密鍵方式）の場合は、共通鍵であり、公開鍵方式で使用する場合は暗号化鍵である。
【００５２】
制御部２０１は、生成した暗号化コード情報１３、物流管理用バーコード等である１次元バーコード情報１２、製造番号等の製品固有番号１４等のラベル印刷用データをプリンタ１０５に送る（ステップ８０６）。
プリンタ１０５は、受け取ったデータを製品認証ラベル１０に印刷し、更に、真贋判別・偽造防止（セキュリティ）として、ホログラム又は液晶等の光学可変機能を有する媒体をラベル・転写等のいずれかの形で貼付する（ステップ８０７）。
【００５３】
製品２０に、印刷した製品認証ラベル１０を貼り付け、販売店１０６等に出荷する（ステップ８０８）。
【００５４】
次に、販売店１０６の携帯型端末装置１０３−２の製品認証の処理手順について詳しく説明する。図９は、販売店１０６の携帯型端末装置１０３−２の製品認証の処理手順を示すフローチャートである。
【００５５】
図９に示すように、携帯型端末装置１０３−２の制御部４０１は、予め、サーバ１０１からメール等により配信された固有ＩＤ鍵コード１５を受信、保持する（ステップ９０１）。
【００５６】
製品入荷すると（ステップ９０２）、携帯型端末装置１０３−２の制御部４０１は、スキャナ４０８を用いて、製品２０の製品認証ラベル１０の暗号化コード情報１３、１次元バーコード情報１２等を読み取る（ステップ９０３）。
【００５７】
制御部４０１は、固有ＩＤ鍵コード１５を用いて、読み取った暗号化コード情報１３を復号化し、コード情報１６に解読する（ステップ９０４）。
制御部４０１は、２次元バーコードであるコード情報１６を製品２０の真正性情報、製品サービス情報３１等の製品に関わる各種情報に復元する（ステップ９０５）。
制御部４０１は、復元した製品２０の真正性情報と、１次元バーコード情報１２、及び／又は製品固有番号１４等と照合し、製品の真正性の認証を行う（オフライン確認）（ステップ９０６）。
【００５８】
次に、消費者１０４の携帯型端末装置１０３−１のユーザ登録、製品認証、製品情報入手の処理手順について詳しく説明する。図１０、図１１は、消費者１０４の携帯型端末装置１０３−１のユーザ登録、製品認証、製品情報入手の処理手順を示すフローチャートである。
【００５９】
図１０に示すように、携帯型端末装置１０３−１の制御部４０１は、所定サイトを介して、サーバ１０１にアクセスし、ユーザ情報３０を入力し、ユーザ登録を行う（ステップ１００１）。
サーバ１０１の制御部２０１は、受信したユーザ情報３０を顧客情報３１１として、顧客データベース３０１に登録、保持する（ステップ１００２）。
【００６０】
制御部２０１は、製品情報データベース３０２から、配信する鍵コードを読み出し（ステップ１００３）、２次元バーコード化した固有ＩＤ鍵コード１５を携帯型端末装置１０３−１にメール送信する（ステップ１００４）。
制御部４０１は、受け取った固有ＩＤ鍵コード１５を保持する（ステップ１００５）。
【００６１】
携帯型端末装置１０３−１の制御部４０１は、カメラ４０３を用いて、製品２０の製品認証ラベル１０の暗号化コード情報１３等を読み取る（ステップ１１０１）。
【００６２】
制御部４０１は、固有ＩＤ鍵コード１５を用いて、読み取った暗号化コード情報１３を復号化し、コード情報１６に解読する（ステップ１１０２）。
制御部４０１は、２次元バーコードであるコード情報１６を製品の真正性情報、製品サービス情報３１等の製品に関わる各種情報に復元する（ステップ１１０３）。
制御部４０１は、復元した製品サービス情報３１である製品ＨＰのアクセス情報（ＵＲＬ情報）により、サーバ１０１の製品情報サイト１１５にアクセスし、例えば、復元した製品の真正性情報である製品固有番号１４（製造番号等）を入力、送信する（ステップ１１０４）。
【００６３】
サーバ１０１の制御部２０１は、製品情報サイト１１５により、受け取った製品固有番号１４に基づいて、製品情報データベース３０２の製品情報３１２を検索、照合した結果である製品の真正性確認情報や、製品詳細情報３２を送信する（ステップ１１０５）。
【００６４】
制御部４０１は、受け取った情報を表示し、製品の真正性の確認、製品情報閲覧等を行う（オンライン確認）（ステップ１１０６）。
【００６５】
以上説明したように、本発明の実施の形態によれば、製造メーカ１０２のサーバ１０１は、製品情報データベース３０１を用いて、製品の真正性情報、製品サービス情報等の製品の関連情報を２次元バーコード化したコード情報を暗号化し、生成した暗号化コード（２次元バーコード）、１次元バーコード１２、製品固有番号１４等の印刷用データをプリンタ１０５に送り、製品認証ラベル１０に印刷する。製品２０に製品認証ラベル１０を貼り付け、販売店１０６等に出荷する。
販売店１０２の携帯型端末装置１０３−２は、製品入荷時、スキャナ４０８を用いて、出荷された製品２０の製品認証ラベル１０の暗号化コード情報１３、１次元バーコード情報１２等を読み取り、予め受信した固有ＩＤ鍵コード１５を用いて、暗号化コード情報１３を復号化し、復元した製品の真正性情報により、１次元バーコード情報１２や製品固有番号１４等と照合し、オフラインの製品の真正性確認を行う。
消費者１０４の携帯型端末装置１０３−１（カメラ付き携帯電話）は、予め、サーバ１０１に対してアクセスし、ユーザ登録を行い、サーバ１０１から復号化する固有ＩＤ鍵コード１５を受信する。携帯型端末装置１０３−１は、カメラ４０３を用いて、製品２０の製品認証ラベル１０の暗号化コード情報１３を読み取り、固有ＩＤ鍵コード１５を用いて、暗号化コード情報１３を復号化し、復元した製品サービス情報３１（ＵＲＬ情報）により、サーバ１０１の製品情報提供サイト１１５にアクセスし、オンラインの製品の真正性確認や、製品詳細情報３２閲覧を行う。
【００６６】
これにより、製品自体の真正性が保たれると共に、記録された情報内容についても改竄・悪用から保護することができ、流通・消費過程において、関連業者や消費者が簡便かつ確実に製品の真正性を認証したり、製品情報を入手・利用することができ、販売店等の担当者の負担が非常に軽くなり、作業効率も大幅に改善できる。
【００６７】
尚、本実施の形態では、販売店１０６の携帯型端末装置１０３−２に固有ＩＤ鍵コードをメール送信したが、コードスキャナのキーボードから入力してもよい。
【００６８】
尚、図８、図９、図１０、図１１等に示す処理を行うプログラムはＣＤ−ＲＯＭ等の記録媒体に保持させて流通させてもよいし、このプログラムを通信回線を介して送受することもできる。
【００６９】
以上、添付図面を参照しながら、本発明に係る製品認証システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７０】
【図１】本発明の本実施の形態に係る製品認証システム１００の概略構成を示す図
【図２】サーバ１０１のハードウェア構成図
【図３】記憶装置２０２における製品認証システム関連のデータ構成を示す図
【図４】携帯型端末装置１０３−１、１０３−２のハードウェア構成図
【図５】製品認証ラベル１０を示す図
【図６】暗号化コード情報１３について示す図
【図７】製品認証システム１００全体の処理の流れと処理手段を示す図
【図８】サーバ１０１の暗号化コード情報作成及び製品認証ラベル印刷の処理手順を示すフローチャート
【図９】販売店１０６の携帯型端末装置１０３−２の製品認証の処理手順を示すフローチャート
【図１０】消費者１０４の携帯型端末装置１０３−１のユーザ登録、製品認証、製品情報入手の処理手順を示すフローチャート
【図１１】消費者１０４の携帯型端末装置１０３−１の製品認証、製品情報入手の処理手順を示すフローチャート
【符号の説明】
【００７１】
１００………製品認証システム
１０１………サーバ
１０２………製造メーカ
１０３−１、１０３−２………携帯型端末装置
１０４………消費者
１０５………プリンタ
１０６………販売店
１０９………ネットワーク
１１１………ユーザ登録手段
１１２………鍵コード配信手段
１１３………暗号化コード情報作成手段
１１４………製品認証ラベル印刷手段
２０１、４０１………制御部
２０２、４０２………記憶装置
４０３………カメラ
４０８………スキャナ
３０１………顧客データベース
３０２………製品情報データベース
１０………製品認証ラベル
１１………セキュリティ
１２………１次元バーコード情報
１３………暗号化コード情報
１４………製品固有番号
１５………固有ＩＤ鍵コード
１６………コード情報
２０………製品
【図１】
2006229852.tif 000003
【図２】
2006229852.tif 000004
【図３】
2006229852.tif 000005
【図４】
2006229852.tif 000006
【図５】
2006229852.tif 000007
【図６】
2006229852.tif 000008
【図７】
2006229852.tif 000009
【図８】
2006229852.tif 000010
【図９】
2006229852.tif 000011
【図１０】
2006229852.tif 000012
【図１１】
2006229852.tif 000013